(57)【要約】      （修正有）【課題】簡単な装置構造で、成形弾による対装甲モードと、成形弾及び複数の破片による対非装甲モードの両方に対応可能であるうえに、対非装甲モードの弾頭威力を高めることができるＥＦＰ弾頭を提供する。【解決手段】主炸薬３を装填した主弾殻２の開口をライナ４で閉塞した構造を有し、主炸薬３の爆発エネルギでライナ４を射出して尖頭状の成形弾に成形するＥＦＰ弾頭であって、主弾殻２の側壁の外周に装填した増強用炸薬５と、増強用炸薬５の外部を覆う増強用弾殻６を備えたＥＦＰ弾頭１とすることで、簡単な装置構造により、成形弾による対装甲モードと、成形弾及び複数の破片による対非装甲モードの両方に対応可能であるうえに、対非装甲モードの弾頭威力を高めることができる。【選択図】図１
2010127468.tif 000002
【特許請求の範囲】
【請求項１】
主炸薬を装填した主弾殻の開口をライナで閉塞した構造を有し、主炸薬の爆発エネルギでライナを射出して尖頭状の成形弾に成形するＥＦＰ弾頭であって、主弾殻の側壁の外周に装填した増強用炸薬と、増強用炸薬の外部を覆う増強用弾殻を備えたことを特徴とするＥＦＰ弾頭。
【請求項２】
主弾殻に対する増強用弾殻の結合及び分離を選択する切替手段を備えたことを特徴とする請求項１に記載のＥＦＰ弾頭。
【請求項３】
主弾殻が、反開口側にホルダを備えると共に、増強用弾殻が、主弾殻の開口側から増強用炸薬を覆いつつホルダに嵌装してあり、ホルダと増強用弾殻の間に切替手段が設けてあることを特徴とする請求項２に記載のＥＦＰ弾頭。
【請求項４】
切替手段が、ホルダに対して往復回動可能に設けた押出ブロックと、押出ブロックの往復回動に伴ってホルダの外周で突没動作する係合ピンと、増強用弾殻に設けられ且つ係合ピンが突没動作に伴って係脱する係合孔を備えていることを特徴とする請求項３に記載のＥＦＰ弾頭。
【請求項５】
ホルダに対して押出ブロックを同軸状に配置し、押出ブロックの周囲に複数の係合ピン及び係合孔を配置したことを特徴とする請求項４に記載のＥＦＰ弾頭。
【発明の詳細な説明】
【技術分野】
【０００１】
本発明は、炸薬の爆発エネルギによりライナを射出して尖頭状の成形弾に成形するＥＦＰ弾頭の改良に関するものである。
【背景技術】
【０００２】
ＥＦＰ弾頭は、前方が開口した弾殻に炸薬を装填すると共に、その開口をライナで閉塞した構造を有し、炸薬の爆発エネルギによりライナを射出して尖頭状の成形弾（ＥＦＰ：Explosively Formed Projectile）に成形するものであり、自己鍛造弾又は自鍛破片弾などとも呼ばれている。
【０００３】
従来において、この種のＥＦＰ弾頭としては、ライナを複数の破片に分割するライナ分割手段を備えると共に、ライナ分割手段を瞬時に消失可能なものとし、ライナ分割手段を非消失状態にする第１モード（対非装甲モード）と、ライナ分割手段を消失状態にする第２モード（対装甲モード）とを切換えるようにしたものがあった（特許文献１）。
【特許文献１】特開２００７−２２５２１５号公報
【発明の開示】
【発明が解決しようとする課題】
【０００４】
ところが、上記したような従来のＥＦＰ弾頭にあっては、弾頭寸法、炸薬量、ライナの厚さ、物性及びライナ分割手段の性能等の設計パラメータが多くて、装置構造が複雑であり、例えば、弾頭の大型化や性能の向上を図る場合に、開発に時間とコストがかかるといった問題点があり、このような問題点を解決することが課題であった。
【０００５】
本発明は、上記従来の課題に着目して成されたもので、簡単な装置構造で対非装甲弾頭威力を高めることができるＥＦＰ弾頭を提供することを目的としている。
【課題を解決するための手段】
【０００６】
本発明のＥＦＰ弾頭は、主炸薬を装填した主弾殻の開口をライナで閉塞した構造を有し、主炸薬の爆発エネルギでライナを射出して尖頭状の成形弾に成形するＥＦＰ弾頭であって、主弾殻の側壁の外周に装填した増強用炸薬と、増強用炸薬の外部を覆う増強用弾殻を備えた構成としており、上記構成をもって従来の課題を解決するための手段としている。
【０００７】
また、本発明のＥＦＰ弾頭は、より好ましい実施形態として、主弾殻に対する増強用弾殻の結合及び分離を選択する切替手段を備えたことを特徴としている。
【発明の効果】
【０００８】
本発明のＥＦＰ弾頭は、増強用炸薬及び増強用弾殻を採用したことで、簡単な装置構造により、成形弾による対装甲モードと、成形弾及び複数の破片による対非装甲モードの両方に対応可能であるうえに、対非装甲弾頭威力を高めることができる。これにより、弾頭の大型化や性能の向上などに容易に対処することができる。
【発明を実施するための最良の形態】
【０００９】
図１〜図４は、本発明のＥＦＰ弾頭の一実施形態を説明する図である。図１に示すＥＦＰ弾頭１は、前方（図１中で下方）に開口した有底円筒形の主弾殻２に主炸薬３を装填すると共に、主弾殻２の開口を凹面状のライナ４で閉塞した構造を有している。
【００１０】
また、ＥＦＰ弾頭１は、主弾殻２の側壁の外周に装填した円筒形状の増強用炸薬５と、増強用炸薬５の外部を覆う増強用弾殻６を備えており、さらに、主弾殻２に対する増強用弾殻６の結合及び分離を選択する切替手段７を備えている。
【００１１】
ここで、ＥＦＰ弾頭１は、主弾殻２の反開口側（図１中で上側）に、主弾殻２よりも大径のホルダ８を同軸状に備えている。ホルダ８は、外周部に環状フランジ８ａを有する円盤状の部材である。そして、ＥＦＰ弾頭１は、主弾殻２に対するホルダ８の突出寸法と円筒形状の増強用炸薬５の厚さ寸法とを一致させることで、ホルダ８の環状フランジ８ａの外周と増強用炸薬５の外周が同一面状に連続するようにしてある。
【００１２】
これに対して、増強用弾殻６は、増強用炸薬５の外周面に対応する円筒部６ａと、増強用炸薬５の端面に対応する環状部６ｂを有しており、主弾殻２の開口側から増強用炸薬５を覆いつつホルダ８の環状フランジ８ａの外側に円筒部６ａの端部を嵌装する。これにより、増強用弾殻６の環状部６ｂの中央穴に主弾殻２の開口及びライナ４が配置される。
【００１３】
切替手段７は、図３及び図４にも示すように、ホルダ８に対して往復回動可能に設けた押出ブロック１１と、押出ブロック１１の往復回動に伴ってホルダ８の外周で突没動作する係合ピン１２と、増強用弾殻６に設けられ且つ係合ピン１２が突没動作に伴って係脱する係合孔１３を備えている。
【００１４】
このとき、切替手段７は、より好ましい実施形態として、ホルダ８に対して押出ブロック１１を同軸状に配置し、押出ブロック１１の周囲に複数（この実施形態では２つ）の係合ピン１２及び係合孔１３を配置している。
【００１５】
より具体的には、ホルダ８の内側には、中心に固定した軸部１４と、環状フランジ８ａの内側に沿って固定した環状部材１５が設けてあり、軸部１４と環状部材１５との間に、環状の押出ブロック１１が回動自在に嵌装してある。また、ホルダ８の環状フランジ８ａには、１８０度異なる二箇所に、係合ピン１２の通し孔８ｂが設けてあり、他方、増強用弾殻６の円筒部６ａには、同じく１８０度異なる二箇所に、係合ピン１２の係合孔１３が設けてある。これらの通し孔８ｂ及び係合孔１３は、同軸上で互いに連通している。
【００１６】
押出ブロック１１は、１８０度異なる二箇所に、円弧の一部を除去して成る平面状のカム面１１ａ，１１ａを有している。環状部材１５は、同じく１８０度異なる二箇所に、係合ピン１２を半径方向に往復動可能に備えている。
【００１７】
係合ピン１２は、環状部材１５の中心側である基端側に半球状の接触子１２ａを有している。この係合ピン１２は、図３に示すように、押出ブロック１１のカム面１１ａの中央に接触子１２ａが当接しているときには、その先端部がホルダ８の通し孔８ｂの内部に位置してホルダ８に没入状態となり、増強用弾殻６の係合孔１３とは非係合状態である。
【００１８】
また、この実施形態のＥＦＰ弾頭１は、外側から増強用弾殻６、ホルダ８及び環状部材１５を斜めに貫通して、押出ブロック１１のカム面１１ａの端部に当接する設定棒１６を備えている。なお、ＥＦＰ弾頭１は、上記構成のほか、起爆装置、目標検知手段、落下傘等の減速降下手段、及び降下時に用いる抵抗翼やアクチュエータ等の旋転附与手段などを備えている。
【００１９】
上記のＥＦＰ弾頭１は、図３に示す如く係合ピン１２と係合孔１３とを非係合状態にして親弾等の母機に収容し、対装甲モードの場合には、設定棒１６を引き抜いて空中に放出する。これにより、ＥＦＰ弾頭１は、図２に示すように、軸線Ｃｃを傾けて降下しながら垂線Ｃｖ回りに旋転することで、地上を螺旋状にサーチする。この際、ＥＦＰ弾頭１は、係合ピン１２と係合孔１３とが非係合状態であるから、増強用弾殻６が自重で外れて落下する。
【００２０】
そして、ＥＦＰ弾頭１は、目標の検知とともに作動する。つまり、起爆装置により主炸薬３に点火し、主炸薬３の爆発エネルギによりライナ４を射出して尖頭状の成形弾を生成する。このとき、ＥＦＰ弾頭１は、増強用弾殻６が外れているので、増強用炸薬５に適正な圧力が加わることがなく、増強用炸薬５が爆発せずに飛散する。
【００２１】
また、ＥＦＰ弾頭１は、対非装甲モードの場合には、設定棒１６を押し込んで押出ブロック１１を回動させ、その後、設定棒１６を引き抜いて空中に放出する。このとき、ＥＦＰ弾頭１は、図４に示すように、押出ブロック１１の回動に伴って、そのカム面１１ａにより係合ピン１２が押動され、係合ピン１２の先端がホルダ８から突出して係合孔１３に係合状態となる。
【００２２】
これにより、ＥＦＰ弾頭１は、増強用弾殻６を装着したまま降下し、起爆すると、ライナ４を射出して成形弾を生成すると同時に、主炸薬３の爆発圧力が増強用炸薬５に加わって同増強用炸薬５も爆発し、増強用弾殻６を多数の破片にして飛散させる。
【００２３】
このように、上記の実施形態で説明したＥＦＰ弾頭１は、増強用炸薬５及び増強用弾殻６を採用したことで、簡単な装置構造により、成形弾による対装甲モードと、成形弾及び複数の破片による対非装甲モードの両方に対応可能であるうえに、対非装甲弾頭威力を高めることができる。これにより、弾頭の大型化や性能の向上等に対処することが容易になり、開発の時間やコストの節約にも貢献することができる。
【００２４】
また、ＥＦＰ弾頭１は、主弾殻２に対する増強用弾殻６の結合及び分離を選択する切替手段７を備えたものとすることで、とくに、対装甲モードで使用する際に、爆発性の無い増強用弾殻６を分離放出して、目標のみを攻撃することができる。
【００２５】
さらに、ＥＦＰ弾頭１は、主弾殻２がホルダ８を備えると共に、増強用弾殻６が、主弾殻２の開口側から増強用炸薬５を覆いつつホルダ８に嵌装してあり、ホルダ８と増強用弾殻５の間に切替手段７を設けた構成とすることで、対装甲モードで使用する際に、増強用弾殻６をその自重で外すことができ、装置構造のさらなる簡略化を図ることができる。
【００２６】
さらに、ＥＦＰ弾頭１は、押出ブロック１１、係合ピン１２及び係合孔１３等を備えた切替手段７を採用したことにより、簡単な構造で、主弾殻２に対する増強用弾殻６の結合及び分離の動作を確実に行うことができる。
【００２７】
さらに、ＥＦＰ弾頭１は、ホルダ８対して押出ブロック１１を同軸状に配置し、押出ブロック１１の周囲に複数の係合ピン１２及び係合孔１３を配置したことから、設定棒１６等を用いた一箇所の入力で複数の係合ピン１２を一斉に作動させることができ、装置構造のさらなる簡略化や動作の信頼性の向上などを実現することができる。
【００２８】
なお、本発明のＥＦＰ弾頭は、その構成が上記の実施形態のみに限定されるものではなく、本発明の要旨を逸脱しない範囲で、各構成部位の形状、数及び材料などを適宜変更することができる。
【図面の簡単な説明】
【００２９】
【図１】本発明のＥＦＰ弾頭の一実施形態を説明する断面図である。
【図２】対装甲モードで落下するＥＦＰ弾頭を説明する断面図である。
【図３】主弾殻に対して増強用弾殻が非係合状態である対装甲モードを説明する平面図である。
【図４】主弾殻に対して増強用弾殻が係合状態である非対装甲モードを説明する平面図である。
【符号の説明】
【００３０】
１    ＥＦＰ弾頭
２    主弾殻
３    主炸薬
４    ライナ
５    増強用炸薬
６    増強用弾殻
７    切替手段
８    ホルダ
１１  押出ブロック
１２  係合ピン
１３  係合孔
【図１】
2010127468.tif 000003
【図２】
2010127468.tif 000004
【図３】
2010127468.tif 000005
【図４】
2010127468.tif 000006